(57)【要約】【課題】ガラス取付枠の支柱の見附幅をできるだけ小さくし得る手摺りを提供する。【解決手段】堰壁７上に立設される支柱２と、支柱２の上端部をつなぐ上枠３と、支柱２の下端部をつなぐ下枠４とで手摺り枠体１を形成し、左右に対向する支柱２，２と上枠３と下枠４とからなる各ガラス取付枠５にガラス板６を嵌装してなる手摺りにおいて、各支柱２は、室内外方向に間隔をおいた内外一対の枠部８，９と、両枠部８，９を連結すると共に、両枠部８，９間の空間を左右に仕切って左右両側にガラス嵌合溝１１Ａ，１１Ｂを形成する仕切壁１０とからなり、上枠３は、室内外方向に間隔をおいて、支柱２の内外両枠部８，９の上端面にビス１７止めされる内外一対の上枠材１２，１３と、ガラス嵌合溝１５を有し、内外両上枠材１２，１３間に嵌挿される嵌挿枠材１４と、内外両上枠材１２，１３及び嵌挿枠材１４を被うように被嵌される笠木部材１６とからなる。【選択図】図３
2011069067.tif 000002
【特許請求の範囲】
【請求項１】
堰壁上に一定間隔をおいて立設される支柱と、これら支柱の上端部をつなぐ上枠と、支柱の下端部をつなぐ下枠とによって手摺り枠体を形成し、手摺り枠体の左右に対向する支柱と上枠と下枠とからなる各ガラス取付枠にガラス板を嵌装してなる手摺りのガラス板取付構造において、ガラス取付枠の左右各支柱は、室内外方向に間隔をおいた内外一対の枠部と、両枠部を連結すると共に、両枠部間の空間を左右に仕切って左右両側にガラス嵌合溝を形成する仕切壁とからなり、上枠は、室内外方向に間隔をおいて、支柱の内外両枠部の上端面にビス止めされる内外一対の上枠材と、ガラス嵌合溝を有し、内外両上枠材間に嵌挿される嵌挿枠材と、内外両上枠材及びを嵌挿枠材を被うように被嵌される笠木部材とからなり、ガラス取付枠にガラス板を嵌装するにあたって、上枠の笠木部材及び嵌挿枠材を取り外し、内外両枠材の間に上方よりガラス板を挿入して、左右両支柱のガラス嵌合溝から下枠のガラス嵌合溝に嵌め込むようにした手摺りのガラス板取付構造。
【請求項２】
堰壁上に一定間隔をおいて立設される支柱と、これら支柱の上端部をつなぐ上枠と、支柱の下端部をつなぐ下枠とによって手摺り枠体を形成し、手摺り枠体の左右に対向する支柱と上枠と下枠とからなる各ガラス取付枠にガラス板を嵌装してなる手摺りのガラス板取付構造において、各ガラス取付枠の左右各支柱は、角筒状の支柱本体と、これの室外側面の幅方向中央部に突設されてその左右両側にガラス嵌合溝を形成する突条壁とからなり、上枠は、支柱本体の上端面にビス止めされる取付基枠と、ガラス嵌合溝を有し、取付基枠の室外端部にビス止めされる上枠部材と、取付基枠及び上枠部材を被うように被嵌される笠木部材とからなり、下枠は、ガラス嵌合溝を有し、左右に対向する支柱間に介挿されて両端部が支柱本体にビス止されてなり、ガラス取付枠にガラス板を嵌装するにあたって、上枠の笠木部材及び上枠部材を取り外し、左右に対向する支柱の両突条壁間に上方よりガラス板を挿入して、両突条壁のガラス嵌合溝から下枠のガラス嵌合溝に嵌め込むようにした手摺りのガラス板取付構造。
【請求項３】
各支柱の突条壁は、下枠の端部が位置する部分より下方が支柱本体から切除されている請求項２に記載の手摺りのガラス板取付構造。
【請求項４】
堰壁上に一定間隔をおいて立設される支柱と、これら支柱の上端部をつなぐ上枠と、支柱の下端部をつなぐ下枠とによって手摺り枠体を形成し、手摺り枠体の左右に対向する支柱と上枠と下枠とからなる各ガラス取付枠にガラス板を嵌装してなる手摺りのガラス板取付構造において、各ガラス取付枠の左右各支柱は、角筒状の支柱本体と、これの室外側面の幅方向中央部に摺動係合部を介して上下に摺動可能に係合されてその下端部が下枠に当接して位置決めた状態で突設されてその左右両側にガラス嵌合溝を形成する突条壁とからなり、上枠は、支柱本体の上端面にビス止めされる取付基枠と、ガラス嵌合溝を有し、取付基枠の室外端部にビス止めされる上枠部材と、取付基枠及び上枠部材を被うように被嵌される笠木部材とからなり、下枠は、ガラス嵌合溝を有し、左右に対向する支柱間に介挿されて両端部が支柱本体にビス止されてなり、ガラス取付枠にガラス板を嵌装するにあたって、上記突条壁を、前記支柱本体の室外側面に設けた摺動係合部に上方から摺動係合させて前記支柱本体の室外側面の幅方向中央部に突設し、上枠の笠木部材及び上枠部材を取り外した状態で、左右に対向する支柱の両突条壁間に上方よりガラス板を挿入して、両突条壁のガラス嵌合溝から下枠のガラス嵌合溝に嵌め込むようにした手摺りのガラス板取付構造。
【請求項５】
前記突条壁の下端側に、隣り合うガラス取付枠の双方の下枠の対向端部が突き合わされ、この突き合わさった両下枠の対向端部の間隙を覆い隠す化粧カバーが両下枠の対向端部にわたって設けられている請求項３又は４に記載の手摺りのガラス板取付構造。
【発明の詳細な説明】
【技術分野】
【０００１】
本発明は、建物のベランダ等の室外側端部に設置される手摺りに関するもので、特に、堰壁上に一定間隔をおいて立設される支柱と、これら支柱の上端部をつなぐ上枠と、支柱の下端部をつなぐ下枠とによって矩形状の手摺り枠体を形成し、この手摺り枠体の左右に対向する支柱と上枠と下枠とからなる各ガラス取付枠にガラス板を嵌装するようにした手摺りのガラス板取付構造に関する。
【背景技術】
【０００２】
従来におけるこの種手摺りのガラス板取付構造として、特許公報等の具体的な公知文献を挙げることはできないが、現在使用されている高さ１．２ｍの手摺りにおいては、矩形状のガラス取付枠体を形成する支柱の見附幅が５ｃｍ程度以上と可なり大きいことから、室内外から見た支柱の見栄えが良くない。
【０００３】
従来のガラス取付枠の支柱の見附幅を５ｃｍ程度以上と幅広くせざるを得ない理由は、各支柱が、室内外方向に間隔をおいた内外一対の枠部と、両枠部をつなぐと共に、両枠部間の空間を左右に仕切って左右両側にガラス嵌合溝を形成する仕切壁とにより構成されていて、ガラス取付枠にガラス板を嵌め込むのに、ガラス板の一側端部を左右支柱の何れか一方のガラス嵌合溝に深く嵌め込んだ後、ガラス板の他側端部を他方のガラス嵌合溝に嵌め込んで左右方向にスライドさせる、言わば左右検鈍式によって、ガラス板をガラス取付枠に嵌め込むことから、仕切壁の両側に形成されるガラス嵌合溝の深さを十分に深くする必要があり、それがために支柱の見附幅がどうしても幅広くなる。
【発明の概要】
【発明が解決しようとする課題】
【０００４】
本発明は、上記の事情に鑑み、ガラス板の嵌め込みにあたって、ガラス取付枠の上枠の一部を取り外し、その上枠側からガラス板を落とし込むように挿入して左右支柱及び下枠のガラス嵌合溝に嵌合させるようにすることにより、各支柱のガラス嵌合溝を浅くして、各支柱の見附幅をできるだけ小さくし得る手摺りのガラス板取付構造を提供することを目的とする。
【課題を解決するための手段】
【０００５】
上記課題を解決するための手段を、後述する実施形態の参照符号を付して説明すると、請求項１に係る発明は、堰壁７上に一定間隔をおいて立設される支柱２と、これら支柱２の上端部をつなぐ上枠３と、支柱２の下端部をつなぐ下枠４とによって手摺り枠体１を形成し、手摺り枠体１の左右に対向する支柱２，２と上枠３と下枠４とからなる各ガラス取付枠５にガラス板６を嵌装してなる手摺りのガラス板取付構造において、ガラス取付枠５の左右各支柱２は、室内外方向に間隔をおいた内外一対の枠部８，９と、両枠部８，９を連結すると共に、両枠部８，９間の空間を左右に仕切って左右両側にガラス嵌合溝１１Ａ，１１Ｂを形成する仕切壁１０とからなり、上枠３は、室内外方向に間隔をおいて、支柱２の内外両枠部８，９の上端面にビス１７止めされる内外一対の上枠材１２，１３と、ガラス嵌合溝１５を有し、内外両上枠材１２，１３間に嵌挿される嵌挿枠材１４と、内外両上枠材１２，１３及び嵌挿枠材１４を被うように被嵌される笠木部材１６とからなり、ガラス取付枠５にガラス板６を嵌装するにあたって、上枠３の笠木部材１６及び嵌挿枠材１４を取り外し、内外両枠材１２，１３の間に上方よりガラス板６を挿入して、左右両支柱２のガラス嵌合溝１１Ａ，１１Ｂから下枠４のガラス嵌合溝２６に嵌め込むようにしたことを特徴とする。
【０００６】
請求項２に係る発明は、堰壁７上に一定間隔をおいて立設される支柱２と、これら支柱２の上端部をつなぐ上枠３と、支柱２の下端部をつなぐ下枠４とによって手摺り枠体１を形成し、手摺り枠体１の左右に対向する支柱２，２と上枠３と下枠４とからなる各ガラス取付枠５にガラス板６を嵌装してなる手摺りのガラス板取付構造において、各ガラス取付枠５の左右各支柱２は、角筒状の支柱本体２９と、これの室外側面の幅方向中央部に突設されてその左右両側にガラス嵌合溝３１Ａ，３１Ｂを形成する突条壁３０とからなり、上枠３は、支柱本体２９の上端面にビス１７止めされる取付基枠３２と、ガラス嵌合溝３４を有し、取付基枠３２の室外端部にビス１８止めされる上枠部材３３と、取付基枠３２及び上枠部材３３を被うように被嵌される笠木部材３５とからなり、下枠４は、ガラス嵌合溝３６を有し、左右に対向する支柱２間に介挿されて両端部が支柱本体２９にビス３７止めされてなり、ガラス取付枠５にガラス板６を嵌装するにあたり、上枠３の笠木部材３５及び上枠部材３３を取り外し、左右に対向する支柱２，２の両突条壁３０，３０間に上方よりガラス板６を挿入して、両突条壁のガラス嵌合溝３１Ａ，３１Ｂから下枠のガラス嵌合溝３６に嵌め込むようにしたことを特徴とする。
【０００７】
請求項３は、請求項２に記載の手摺りのガラス板取付構造において、各支柱２の突条壁３０は、下枠４の端部が位置する部分より下方が支柱本体２９から切除されていることを特徴とする。
【０００８】
請求項４に係る発明は、堰壁７上に一定間隔をおいて立設される支柱２と、これら支柱２の上端部をつなぐ上枠３と、支柱２の下端部をつなぐ下枠４とによって手摺り枠体１を形成し、手摺り枠体１の左右に対向する支柱２，２と上枠３と下枠４とからなる各ガラス取付枠５にガラス板６を嵌装してなる手摺りのガラス板取付構造において、各ガラス取付枠５の左右各支柱２は、角筒状の支柱本体２９と、これの室外側面の幅方向中央部に上下に摺動可能に係合されてその下端部が下枠４に当接して位置決めた状態で突設されてその左右両側にガラス嵌合溝３１Ａ，３１Ｂを形成する突条壁３０とからなり、上枠３は、支柱本体２９の上端面にビス１７止めされる取付基枠３２と、ガラス嵌合溝３４を有し、取付基枠３２の室外端部にビス１８止めされる上枠部材３３と、取付基枠３２及び上枠部材３３を被うように被嵌される笠木部材３５とからなり、下枠４は、ガラス嵌合溝３６を有し、左右に対向する支柱２間に介挿されて両端部が支柱本体２９にビス３７止めされてなり、ガラス取付枠５にガラス板６を嵌装するにあたり、上記突条壁３０を、前記支柱本体２９の室外側面に設けた摺動係合部４１を介して上方から摺動させて前記支柱本体２９の室外側面の幅方向中央部に突設し、上枠３の笠木部材３５及び上枠部材３３を取り外し、左右に対向する支柱２，２の両突条壁３０，３０間に上方よりガラス板６を挿入して、両突条壁のガラス嵌合溝３１Ａ，３１Ｂから下枠のガラス嵌合溝３６に嵌め込むようにしたことを特徴とする。
【０００９】
請求項５は、請求項３又は４に記載の手摺りのガラス板取付構造において、前記突条壁３０の下端側に、隣り合うガラス取付枠５，５の双方の下枠４，４の対向端部が突き合わされ、この突き合わさった両下枠４，４の対向端部の間隙４０を覆い隠す化粧カバー２８が両下枠４，４の対向端部にわたって設けられていることを特徴とする。
【発明の効果】
【００１０】
上記解決手段による発明の効果を、後述する実施形態の参照符号を付して説明すると、請求項１に係る発明によれば、ガラス取付枠５の左右に対向する各支柱２が、室内外方向に間隔をおいた内外一対の枠部８，９と、左右両側にガラス嵌合溝１１Ａ，１１Ｂを形成する仕切壁１０とからなり、上枠３が、室内外方向に間隔をおいて支柱２の内外両枠部８，９の上端面にビス１７止めされる内外一対の上枠材１２，１３と、両上枠材１２，１３間に嵌挿される嵌挿枠材１４と、内外両上枠材１２，１３及び嵌挿枠材１４を被うように被嵌される笠木部材１６とからなるもので、ガラス板６を嵌装するのに、上枠３の笠木部材１６及び嵌挿枠材１４を取り外して、内外両枠材１２，１３間に上方よりガラス板６を挿入して左右両支柱２のガラス嵌合溝１１Ａ，１１Ｂから下枠４のガラス嵌合溝２６に嵌め込むようにするため、ガラス板６の嵌め込みが簡単容易に行えると共に、各支柱２は、そのガラス嵌合溝１１Ａ，１１Ｂをできるだけ浅く形成することが可能で、それによって各支柱２の見附幅ｗを幅狭にでき、室内外から見た支柱２の見栄えを良くすることができる。
【００１１】
請求項２に係る発明によれば、ガラス取付枠５の左右各支柱２が、角筒状支柱本体２９と、支柱本体２９の室外側面の幅方向中央部に突設されて左右両側にガラス嵌合溝１１Ａ，１１Ｂを形成する突条壁３０とからなり、上枠３が、支柱本体２９の上端面にビス１７止めされる取付基枠３２と、取付基枠３２の室外端部にビス１８止めされる上枠部材３３と、取付基枠３２及び上枠部材３３に被嵌される笠木部材３５とからなり、下枠４は、左右に対向する支柱２間に介挿されて両端部が支柱本体２９にビス３７止めされるようになっていて、ガラス取付枠５にガラス板６を嵌装するのに、上枠３の笠木部材３５及び上枠部材３３を取り外し、対向する支柱２，２の両突条壁３０，３０間に上方よりガラス板６を挿入して、両突条壁のガラス嵌合溝３１Ａ，３１Ｂから下枠のガラス嵌合溝３６に嵌め込むようにしたから、ガラス板６の嵌め込み作業を簡単容易に行うことができると共に、突条壁３０の左右両側に形成されるガラス嵌合溝３１Ａ，３１Ｂの溝深さをできるだけ浅くすることが可能となり、これによりガラス板６の室外側から見た時の突条壁３０の見附幅ｗを幅狭にできて、室内外から見た支柱２の見栄えを良くすることができる。
【００１２】
請求項３に係る発明によれば、各支柱２の突条壁３０が、下枠４の端部が位置する部分より下方が支柱本体２９から切除されているから、下枠４の取付けが容易になると共に、下枠４の下方に突条壁３０が突出しないため外観上の体裁が良くなる。
【００１３】
請求項４に係る発明によれば、ガラス取付枠５の左右各支柱２が、角筒状支柱本体２９と、支柱本体２９の室外側面の幅方向中央部に摺動係合部４１を介して上下に摺動可能に係合されてその下端部が下枠４に当接して位置決めされた状態で突設されて左右両側にガラス嵌合溝３１Ａ，３１Ｂを形成する突条壁３０とからなり、上枠３が、支柱本体２９の上端面にビス１７止めされる取付基枠３２と、取付基枠３２の室外端部にビス１８止めされる上枠部材３３と、取付基枠３２及び上枠部材３３に被嵌される笠木部材３５とからなり、下枠４は、左右に対向する支柱２間に介挿されて両端部が支柱本体２９にビス３７止めされるようになっていて、ガラス取付枠５にガラス板６を嵌装するのに、突条壁３０を、前記支柱本体２９の室外側面に沿って摺動係合部４１を介して上方から摺動させて突条壁３０を前記支柱本体２９の室外側面の幅方向中央部に突設し、上枠３の笠木部材３５及び上枠部材３３を取り外し、左右に対向する支柱２，２の両突条壁３０，３０間に上方よりガラス板６を挿入して、両突条壁３０，３０のガラス嵌合溝３１Ａ，３１Ｂから下枠のガラス嵌合溝３６に嵌め込むようにしたから、これら突条壁３０の支柱本体２９への取り付けが容易であり、且つ支柱本体２９と突条壁３０とが別体であるから支柱本体２９の断面形状が簡単で且つ嵩張ることがないから実用的であり、ガラス板６の嵌め込み作業を簡単容易に行うことができると共に、突条壁３０の左右両側に形成されるガラス嵌合溝３１Ａ，３１Ｂの溝深さをできるだけ浅くすることが可能となり、これによりガラス板６の室外側から見た時の突条壁３０の見附幅ｗを幅狭にできて、室内外から見た支柱２の見栄えを良くすることができる。
【００１４】
請求項５に係る発明によれば、前記突条壁３０の下端側で、隣り合うガラス取付枠５，５の双方の下枠４，４の対向端部が突き合わされ、この突き合わさった両下枠４，４の対向端部の間隙４０を覆い隠す化粧カバー２８が両下枠４，４の対向端部にわたって設けてあるから、両下枠４，４の対向端部の間隙４０が露呈しなくなり、外観上の体裁、見栄えが良くなる。
【図面の簡単な説明】
【００１５】
【図１】本発明に係る手摺りを室外側から見た概略正面図である。
【図２】図１のＸ−Ｘ線拡大断面図である。
【図３】図１のＹ−Ｙ拡大断面図である。
【図４】図３の一部拡大図である。
【図５】(a) 及び(b) はガラス板の嵌め込み手順を示す説明図である。
【図６】(a) 及び(b) は引き続きガラス板の嵌め込み手順を示す説明図である。
【図７】本発明に係る他の手摺りを室外側から見た正面図である。
【図８】図６のＶ−Ｖ拡大断面図である。
【図９】図６のＷ−Ｗ線拡大面図である。
【図１０】支柱への下枠端部の取付部分を示す斜視図である。
【図１１】(a) 及び(b) はガラス板の嵌め込み手順を示す説明図である。
【図１２】(a) 及び(b) は引き続きガラス板の嵌め込み手順を示す説明図である。
【図１３】本発明の他の実施形態を示すもので、図８と同様の拡大断面図である。
【図１４】同実施形態の図９と同様の拡大断面図である。
【図１５】同実施形態の要部の分解斜視図である。
【図１６】同実施形態の図１０と同様の支柱への下枠端部の取付部分を示す斜視図である。
【図１７】同実施形態の突条壁の支柱本体への取り付け状態を示す説明図である。
【図１８】同実施形態の図１１と同様の(a) 及び(b) はガラス板の嵌め込み手順を示す説明図である。
【図１９】同実施形態の図１２と同様の(a) 及び(b) は引き続きガラス板の嵌め込み手順を示す説明図である。
【発明を実施するための形態】
【００１６】
以下に本発明の好適な一実施形態を図面に基づいて説明すると、図１は本発明に係る手摺りの全体を示し、この図において１は手摺り枠体で、建物のベランダの室外端部沿いに設けられた堰壁７上に一定間隔をおいて立設された３つ以上の支柱２と、これら支柱２の上端部をつなぐ上枠３と、前記支柱２の下端部をつなぐ下枠４とにより形成され、そしてこの枠体１の互いに対向する左右２つの支柱２，２と上枠３及び下枠４とによってガラス取付枠５が形成され、このガラス取付枠５内にガラス板６が嵌装されている。
【００１７】
各ガラス取付枠５を形成する左右各支柱２は、アルミ押出型材からなるもので、図３及び図４に示すように、室内外方向に間隔をおいた室内外一対の枠部８，９と、両枠部８，９を連結すると共に、両枠部８，９間の空間を左右に仕切って左右両側にガラス嵌合溝１１Ａ，１１Ｂを形成する仕切壁１０とからなる。図４から分かるように、各ガラス嵌合溝１１Ａ，１１Ｂには室外側に合成樹脂製の受けゴム１９が取り付けられ、室内側には軟質合成樹脂製のバックアップシール材２０が取り付けられ、そしてこのバックアップシール材２０の外側にペースト状のシール材２７が詰め込まれる。
【００１８】
上枠３は、図２、図５及び図６に示すように、室内外方向に間隔をおいて、支柱２の内外両枠部８，９の上端面にビス１７止めされる室内外一対の上枠材１２，１３と、ガラス嵌合溝１５を有し、内外両上枠材１２，１３間に嵌挿されて、内外両上枠材１２，１３にビス１８止めされる嵌挿枠材１４と、内外両上枠材１２，１３及びを嵌挿枠材１５を被うように被嵌される笠木部材１６とによって構成され、これら上枠材１２，１３、嵌挿枠材１４及び笠木部材１６は夫々アルミ押出型材からなる。尚、上枠材１２，１３を枠部８，９の上端面に固定するビス１７は、枠部８，９内のビスホール２ａ（図３，図４参照）にねじ込まれる。嵌挿枠材１４は、図５及び図６に示すように、両側端部に一対の取付部１４ａ，１４ａが突設されていて、両取付部１４ａ，１４ａが内外両上枠材１２，１３の支持部１２ａ，１３ａ上に載置され、夫々ビス１８で固定されるようになっている。また嵌挿枠材１４のガラス嵌合溝１５には、室外側に受けゴム１９が取り付けられ、室内側にはバックアップシール材２０が取り付けてある。
【００１９】
下枠４は、図２に示すように、断面略上向きコ字状のアルミ押出型材からなるもので、内底部にセッティングブロック（スペーサ）２１が設けられ、ガラス嵌合溝２６の室外側に合成樹脂製の受けゴム１９が取り付けられ、室内側に合成樹脂製のバックアップシール材２０が取り付けられている。
【００２０】
ガラス取付枠５の寸法の一例を参考までに記載すると、図１に示すように、左右に対向する支柱２，２間のピッチＰは１２００ｍｍ、支柱２の見附幅ｗ（図３参照）は３０ｍｍ、上枠３の厚み幅ｎは３０ｍｍ、下枠４の厚み幅ｍは３０ｍｍ、手摺り高さＨは１２００ｍｍである。
【００２１】
尚、隣り合う支柱２，２の下端部どうしを下枠４でつなぐには、図２及び図３の(b) に示すように、各下枠４の端部下面にＬ字形ブラケット２２の横片２２ａをビス２３止めしておいて、このブラケット２２の縦片２２ｂを、支柱２の仕切壁１０の一方側の側面に当接し、この支柱２を挟んで反対側に配置される下枠４の端部下面に取り付けた同様なＬ字形ブラケット２２の縦片２２ｂを、同じ支柱２の仕切壁１０の他方側の側面に当接して、両側の縦片２２ｂ，２２ｂをボルト２４及びナット２５で固定すればよい。
【００２２】
次に、手摺り枠体１内の対向する左右２つの支柱２，２と上枠３及び下枠４とによって形成されるガラス取付枠５にガラス板６を嵌装する手順を図５及び図６により説明する。このガラス板６の嵌装にあたって、上枠３は、その笠木部材１６及び嵌挿枠材１４を室内外両上枠材１２，１３から取り外しておく。
【００２３】
そして図５の(a) に示すように、ガラス板６を上枠３の内外両枠材１２，１３間にその上方より落とし込むように挿入して、ガラス板６の左右側端部を左右に対向する支柱２，２のガラス嵌合溝１１Ａ，１１Ｂに嵌め入れると共に、ガラス板６の下端部を下枠４のガラス嵌合溝２６に嵌めいれて下方のセッティングブロック（スペーサ）２１上に支持させる。それから、図５の(b) に示すように嵌挿枠材１４を上枠３の内外両枠材１２，１３間に嵌挿して、ビス１８で内外両枠材１２，１３の支持部１２ａ，１３ａ上に固定する。
【００２４】
その後、図６の(a) に示すように、笠木部材１６の両側端部に形成された係嵌部１６ａ，１６ａを、内外両枠材１２，１３の係嵌部１２ａ，１３ａに係嵌させることによって、笠木部材１６を内外両枠材１２，１３に係嵌固定する。そして、最終的に、ガラス板６の室内側面周縁部に沿ってペースト状のシール材２７を詰め込んで、図６の(b) に示す状態とし、ガラス板６の嵌装作業を終了する。
【００２５】
上述した実施形態の手摺りは、ガラス取付枠５の左右に対向する各支柱２が、室内外方向に間隔をおいた内外一対の枠部８，９と、両枠部８，９間の空間を左右に仕切って左右両側にガラス嵌合溝１１Ａ，１１Ｂを形成する仕切壁１０とからなり、上枠３が、室内外方向に間隔をおいて、支柱２の内外両枠部８，９の上端面にビス１７止めされる内外一対の上枠材１２，１３と、両上枠材１２，１３間に嵌挿される嵌挿枠材１４と、内外両上枠材１２，１３及び嵌挿枠材１４を被うように被嵌される笠木部材１６とからなるもので、ガラス板６を嵌装するにあたり、上枠３の笠木部材１６及び嵌挿枠材１４を取り外して、内外両枠材１２，１３間に上方よりガラス板６を落し込むように挿入し、左右両支柱２のガラス嵌合溝１１Ａ，１１Ｂから下枠４のガラス嵌合溝２６に嵌め込むようにするため、各支柱２は、そのガラス嵌合溝１１Ａ，１１Ｂをできるだけ浅く形成することが可能となり、各支柱２の見附幅ｗを例えば３０ｍｍ程度に小さくすることができる。
【００２６】
図７は本発明に係る他の手摺りを室外側から見た正面図、図８は図７のＶ−Ｖ拡大断面図、図９は図７のＷ−Ｗ線拡大面図である。この手摺りも、堰壁７上に一定間隔をおいて立設される支柱２と、これら支柱２の上端部をつなぐ上枠３と、支柱２の下端部をつなぐ下枠４とで手摺り枠体１を形成し、この手摺り枠体１の左右に対向する支柱２，２と上枠３と下枠４とからなる各ガラス取付枠５にガラス板６を嵌装したものである。
【００２７】
各ガラス取付枠５の左右各支柱２は、アルミ押出形材からなるもので、図９に示すように、角筒状の支柱本体２９と、この角筒状支柱本体２９の室外側面の幅方向中央部に突設されて、その左右両側にガラス嵌合溝３１Ａ，３１Ｂを形成する突条壁３０とからなり、突条壁３０の左右両側に形成される各ガラス嵌合溝３１Ａ，３１Ｂ内には室外側に室外側受けゴム１９が取り付けられ、室内側には室内側受けゴム３８が取り付けられている。
【００２８】
上枠３は、図８、図１１及び図１２に示すように、支柱本体２９の上端面にビス１７止めされる取付基枠３２と、ガラス嵌合溝３４を有し、取付基枠３２の室外側立上部３２ａにビス１８止めされる断面下向きコ字状の上枠部材３３と、取付基枠３２及び上枠部材３３を被うように被嵌される笠木部材３５とにより構成されるもので、これら取付基枠３２、上枠部材３３及び笠木部材３５は夫々アルミ押出形材からなる。尚、取付基枠３２を支柱本体２９の上端面に固定するビス１７は、支柱本体２９内のビスホール２ａ（図９，図１０参照）にねじ込まれる。取付基枠３２の室外側立上部３２ａにはバックアップ材２０が取り付けられ、上枠部材３３のガラス嵌合溝３４内にはその室外側に受けゴム１９が取り付けられている。そして、笠木部材３５は、その室外側係止部３５ａを上枠部材３３の係止部３３ａに係止させ、室内側係止部３５ｂを取付基枠３２の室内側係止部３２ｂに係止させることによって、取付基枠３２及び上枠部材３３を被うように被嵌される。
【００２９】
下枠４は、図８〜図１１に示すように、アルミ押出形材からなるもので、左右に対向する支柱２の突条壁３０，３０間に介挿されて支柱本体２９にビス３７止めされるようになっている。この下枠４の内底部にとセッティングブロック（スペーサ）２１が設けられ、このセッティングブロック２１の上部側がガラス嵌合溝３６を形成し、このガラス嵌合溝３４の室外側に受けゴム１９が取り付けられ、室内側にバックアップシール材２０が取り付けられている。
【００３０】
図１０に示すように、支柱２の突条壁３０は、角筒状支柱本体２９の室外側面に突出する基台部３０ｏと、この基台部３０ｏの幅方向中央部から突出する突条壁本体３０ａと、突条壁本体３０ａの突端部に形成された室外端部化粧縁３０ｂとからなるもので、ガラス嵌合溝３１Ａ，３１Ｂは、突条壁本体３０ａの左右両側に形成される。
【００３１】
また支柱２の突条壁３０は、図８及び図１０に示すように下枠４の端部が位置する部分から下方が支柱本体２９から切除されている。そして、この下方部分が切除された突条壁３０の下端側に接するように、左右に隣り合うガラス取付枠５，５の双方の下枠４，４の対向端部が突き合わされ、この突き合わさった両下枠４，４の対向端部の間隙４０を覆い隠す化粧カバー２８が両下枠４，４の対向端部にわたり設けてある。化粧カバー２８は、下枠４の室外側面及び底面を覆うＬ字形のカバー本体２８ａと、カバー本体２８ａの内側縁両端部に突設されたビス止片２８ｂ，２８ｂとからなり、カバー本体２８ａの外側端部には係止縁部２８ｃが形成されている。
【００３２】
上記下枠４を支柱２に取り付けるには、下枠４の端部の室内側部分を平面視略Ｌ字状に切欠して、その切欠部４ｏを、図８、図１０に示すように、支柱本体２９の室外側面及びこれに隣接する横側面部にわたって係合した状態で、下枠４のバックアップシール材取付溝４ａ及び底部立上片４ｂから夫々支柱本体２９の室外側面に対してビス３７をねじ込むことにより、下枠４の端部を支柱本体２９に固定する。また、化粧カバー２８を両下枠４，４の対向端部にわたって取り付けるには、カバー本体２８ａを下枠４の室外側面及び底面に嵌合させ、ビス止片２８ｂを下枠４の室内側下端コーナー部に係合させると共に、係止縁部２８ｃを下枠４の室外側面上端部に係止させ、そしてこのビス止片２８ｂを、図８及び図９に示すようにビス３９で下枠４の室内側面に対し固定すればよい。
【００３３】
尚、図７に示す手摺りにおける各ガラス取付枠５の寸法の一例を示せば、左右に対向する支柱２，２間のピッチＰは１２００ｍｍ、支柱２の突条壁３０の室外端部化粧縁３０ｂの見附幅ｗ（図９参照）は約１２ｍｍ、上枠３の厚み幅ｎは３０ｍｍ、下枠４の厚み幅ｍは３０ｍｍ、手摺り高さＨは１２００ｍｍである。
【００３４】
次に、上述した図７に示す手摺りのガラス取付枠５にガラス板６を嵌装する手順を主に図１１及び図１２を中心に他の図を参照して説明する。このガラス板６の嵌装にあたり、上枠３は、その笠木部材３５及び上枠部材３３を、支柱本体２９上端面にビス１７止めされた取付基枠３２から取り外しておく。
【００３５】
そして、図９及び図１１の(a) に示すように、左右に対向する支柱２，２の両突条壁３０，３０間に上方よりガラス板６を落し込むように挿入し、両突条壁３０，３０のガラス嵌合溝３１Ａ，３１Ｂから下枠のガラス嵌合溝３６に嵌め込んで、このガラス嵌合溝３６内のセッティングブロック（スペーサ）２１上に支持させる。こうしてガラス板６を嵌め込んだならば、図１１の(b) に示すように、上枠部材３３を取付基枠３２の室外側立上部３２ａにビス１８止めし、ガラス板６を安定状態に保持する。
【００３６】
それから、図１２の(a) ，(b) に示すように笠木部材３５の室外側係止部３５ａを上枠部材３３の係止部３３ａに係止させ、室内側係止部３５ｂを取付基枠３２の室内側係止部３２ｂに係止させることによって、笠木部材３５を取付基枠３２及び上枠部材３３を被うように被嵌する。そして、最終的に、ガラス板６の室内側面周縁部に沿ってペースト状のシール材２７を詰め込むことにより、ガラス板６の嵌め込みを終了する。
【００３７】
上述した図７〜図１２に示すような実施形態の手摺りでは、各ガラス取付枠５の左右各支柱２が、角筒状の支柱本体２９と、この支柱本体２９の室外側面の幅方向中央部に突設されて左右両側にガラス嵌合溝３１Ａ，３１Ｂを形成する突条壁３０とからなるもので、上枠３は、支柱本体２９の上端面にビス１７止めされる取付基枠３２と、この取付基枠３２の室外端部にビス１８止めされる上枠部材３３と、取付基枠３２及び上枠部材３３を被うように被嵌される笠木部材３５とからなり、下枠４は、左右に対向する支柱２間に介挿されて両端部が支柱本体２９にビス３７止めするようになっていて、ガラス取付枠５にガラス板６を嵌装するには、上枠３の笠木部材３５及び上枠部材３３を取り外し、対向する支柱２，２の両突条壁３０，３０間に上方よりガラス板６を挿入して、両突条壁のガラス嵌合溝３１Ａ，３１Ｂから下枠のガラス嵌合溝３６に嵌め込むようにしたから、ガラス板６の嵌め込み作業を簡単容易に行うことができると共に、突条壁３０の左右両側に形成されるガラス嵌合溝３１Ａ，３１Ｂの溝深さを十分浅くすることが可能となり、これによりガラス板６の室外側から見た時の突条壁３０の見附幅ｗは、図７を見れば分かるように、例えば１２ｍｍ程度に幅狭にすることができる。
【００３８】
また、この手摺りにおいては、各支柱２の突条壁３０は、下枠４の端部が位置する部分より下方が支柱本体２９から切除されているから、下枠４の取付けが容易になると共に、下枠４の下方に突条壁３０が突出しないため外観上の体裁も良くなる。
【００３９】
また、上記のように下方部分が切除された突条壁３０の下端側で、隣り合うガラス取付枠５，５の双方の下枠４，４の対向端部が突き合わされ、この突き合わさった両下枠４，４の対向端部の間隙４０を覆い隠す化粧カバー２８が両下枠４，４の対向端部にわたって設けられているから、両下枠４，４の対向端部の間隙４０が露呈しなくなって、外観上の体裁、見栄えが良くなる。
【００４０】
図１３〜図１９は、更に本発明の他の実施形態を示すもので、その構造の殆どは、図７〜図１２に示す構造の実施形態と同じである。したがって、両者の同じ役割の構成要素については、同一符号を付してその説明を大部分省略するものとし、相違点のみを主に説明する。
【００４１】
図１３〜図１６に示すように、前記実施形態にあっては、突条壁３０は、支柱本体２９の室外側面に一体形成されたものであるが、本実施形態にあっては、突条壁３０と支柱本体２９とを別体に形成し、突条壁３０は、支柱本体２９の室外側面の幅方向中央部に摺動係合部４１を介して上下に摺動可能に係合されてその下端部が下枠４に当接して位置決めされた状態で突設されて左右両側にガラス嵌合溝３１Ａ，３１Ｂを形成するようになっている。即ち、支柱本体２９の室外側面にその上下方向全域にかけて係合条片４１ａを形成し、これに対応して突条壁３０にその上下全域にかけて係合条片４１ａに係合する被係合条片４１ｂを形成し、該係合条片４１ａとこれに係合して上下に摺動する被係合条片４１ｂとによって摺動係合部４１が形成されるのである。
【００４２】
従って、突条片３０を支柱本体２９に突設するためには、図１７に示すように、支柱本体２９の室外側面の幅方向中央部に摺動係合部４１を介して上下に摺動可能に係合されてその下端部が下枠４に当接して位置決めされた状態で突設されるようになっている。
図１６に示すように、突条壁３０の下端部３０ａは下枠４の上面に当接して位置決めされるから、前記実施形態のように支柱本体２９に一体突設される突条壁３０の下端部の下枠４の位置する部分が下枠４の枠組みに支障をきたさないように下枠４の上面に相当する部分から下方が支柱本体２９から切除される必要がなく、これだけ突条壁３０の支柱本体２９および下枠４への組み込みを容易に行うことができる。
【００４３】
また、前記実施形態のように突条壁３０を支柱本体２９に一体に突設するものでないから支柱本体２９が嵩張ることがなく運搬や保管に便利で実用的である。
【００４４】
そして、その後のガラスの取り付け順序は前記実施形態と同じであり、図１８の（ａ）に示すように、前記図１１の(a) と同じように、左右に対向する支柱２，２の両突条壁３０，３０間に上方よりガラス板６を落し込むように挿入し、両突条壁３０，３０のガラス嵌合溝３１Ａ，３１Ｂから下枠のガラス嵌合溝３６に嵌め込んで、このガラス嵌合溝３６内のセッティングブロック（スペーサ）２１上に支持させる。こうしてガラス板６を嵌め込んだならば、図１８の（ｂ）に示すように、前記図１１の(b)と同じ ように、上枠部材３３を取付基枠３２の室外側立上部３２ａにビス１８止めし、ガラス板６を安定状態に保持する。
【００４５】
それから、図１９の（a),(b)に示すように、前記図１２の(a) ，(b) と同じように笠木部材３５の室外側係止部３５ａを上枠部材３３の係止部３３ａに係止させ、室内側係止部３５ｂを取付基枠３２の室内側係止部３２ｂに係止させることによって、笠木部材３５を取付基枠３２及び上枠部材３３を被うように被嵌する。そして、最終的に、ガラス板６の室内側面周縁部に沿ってペースト状のシール材２７を詰め込むことにより、ガラス板６の嵌め込みを終了する。
【００４６】
上述した図１３〜図１９に示すような実施形態の手摺りでは、特に突条壁３０は支柱本体２９とは別体に形成され、該突条壁３０を支柱本体２９の上方より摺動係合部４０を介して支柱本体２９の室外側面の幅方向中央部に沿って摺動させて、その下端部が下枠４に当接するまで持ち来して位置決めするようにしたから、突条壁３０の支柱本体２９への突設作業を容易に行うことができると共に、突条壁３０の下端部を前記実施形態のように切除する必要がないから外観上の体裁もよい。そして、ガラス取付枠５にガラス板６を嵌装するには、前記実施形態と同じように、上枠３の笠木部材３５及び上枠部材３３を取り外し、対向する支柱２，２の両突条壁３０，３０間に上方よりガラス板６を挿入して、両突条壁のガラス嵌合溝３１Ａ，３１Ｂから下枠のガラス嵌合溝３６に嵌め込むようにしたから、ガラス板６の嵌め込み作業を簡単容易に行うことができると共に、突条壁３０の左右両側に形成されるガラス嵌合溝３１Ａ，３１Ｂの溝深さを十分浅くすることが可能となり、これによりガラス板６の室外側から見た時の突条壁３０の見附幅ｗは、図７と同じように、例えば１２ｍｍ程度に幅狭にすることができる。
【００４７】
また、上記のように突条壁３０の下端側で、隣り合うガラス取付枠５，５の双方の下枠４，４の対向端部が突き合わされ、この突き合わさった両下枠４，４の対向端部の間隙４０を覆い隠す化粧カバー２８が両下枠４，４の対向端部にわたって設けられているから、両下枠４，４の対向端部の間隙４０が露呈しなくなって、外観上の体裁、見栄えが良くなる。
【符号の説明】
【００４８】
１            手摺り枠体
２            支柱
３            上枠
４            下枠
５            ガラス取付枠
６            ガラス板
７            堰壁
８，９        枠部
１０          仕切壁
１１Ａ        ガラス嵌合溝
１１Ｂ        ガラス嵌合溝
１２，１３    上枠材
１４          嵌挿枠材
１５          ガラス嵌合溝
１６          笠木部材
２８          化粧カバー
２９          支柱本体
３０          突条壁
３１Ａ        ガラス嵌合溝
３１Ｂ        ガラス嵌合溝
３２          取付基枠
３３          上枠部材
４０          間隙
４１          摺動係合部
４１ａ        係合条片
４１ｂ        被係合条片
【図１】
2011069067.tif 000003
【図２】
2011069067.tif 000004
【図３】
2011069067.tif 000005
【図４】
2011069067.tif 000006
【図５】
2011069067.tif 000007
【図６】
2011069067.tif 000008
【図７】
2011069067.tif 000009
【図８】
2011069067.tif 000010
【図９】
2011069067.tif 000011
【図１０】
2011069067.tif 000012
【図１１】
2011069067.tif 000013
【図１２】
2011069067.tif 000014
【図１３】
2011069067.tif 000015
【図１４】
2011069067.tif 000016
【図１５】
2011069067.tif 000017
【図１６】
2011069067.tif 000018
【図１７】
2011069067.tif 000019
【図１８】
2011069067.tif 000020
【図１９】
2011069067.tif 000021